(57)【要約】【課題】より簡便な構成で信頼性の高い三次元ディスプレイ装置を提供する。【解決手段】本発明の一観点に係る三次元ディスプレイ装置は、無機ＥＬ層と、無機ＥＬ層を挟む一対の電極層と、を備える平面状の発光層を、透明基板を挟み複数平行に積層してなるものである。この場合において無機ＥＬ層と前記電極層の間に、絶縁層を設けてなることが好ましい。また、この場合において多数の面を備える立体形状であって、前記多数の面のうち一面において接続端子が設けられており、前記接続端子が制御装置に接続されてなることが好ましい。【選択図】図１
2019117789.tif 000002
【特許請求の範囲】
【請求項１】
無機ＥＬ層と、前記無機ＥＬ層を挟む一対の電極層と、を備える平面状の発光層を、透明基板を挟み複数平行に積層してなる三次元ディスプレイ装置。
【請求項２】
前記無機ＥＬ層と前記電極層の間に、絶縁層を設けてなる請求項１記載の三次元ディスプレイ装置。
【請求項３】
多数の面を備える立体形状であって、
前記多数の面のうち一面において接続端子が設けられており、前記接続端子が制御装置に接続されてなる請求項１記載の三次元ディスプレイ装置。
【請求項４】
前記制御装置は支持体内に収納されてなる請求項１記載の三次元ディスプレイ装置。
【請求項５】
波長６００ｎｍの光が入射された場合に、７０％以上透過する請求項１記載の三次元ディスプレイ装置。
【請求項６】
前記透明基板の厚さは、１０μｍ以上５ｍｍ以下の範囲にあり、前記透明基板は３層以上ある請求項１記載の三次元ディスプレイ装置。
【請求項７】
前記一対の電極層は、それぞれ、帯状の電極を複数並列に配置する一方、他方の電極層と延伸方向が略直行する構造となり、それぞれの交差により重畳する部分を画素として用いるパッシブ型表示装置である請求項１記載の三次元ディスプレイ装置。
【発明の詳細な説明】
【技術分野】
【０００１】
本発明は三次元ディスプレイ装置に関する。
【背景技術】
【０００２】
現在普及しているテレビやパソコンのモニタ等のディスプレイ装置は、二次元的に画像を表示するものである。
【０００３】
しかしながら一方で、立体物を立体物としてそのまま表示させようとする三次元ディスプレイ装置があれば好ましいと考えられている。このような三次元ディスプレイ装置が実現されれば、表示物に対して観測者は視点を変えるだけでその物から異なる情報を得ることができる。
【０００４】
三次元ディスプレイ装置に関しては、例えば下記特許文献１に、透明な表示装置を駆動機構によって回転させることで立体像を表示しようとする技術が開示されている。
【先行技術文献】
【特許文献】
【０００５】
【特許文献１】特許第４２９６９１８号明細書
【発明の概要】
【発明が解決しようとする課題】
【０００６】
しかしながら、上記特許文献に記載の技術は表示装置を回転させて観測者の目の分解能等と同期をとる等、高度な制御が必要である。またこのような表示装置の場合、残像が生じてしまうといった課題が残る。
【０００７】
そこで、本発明は上記課題を鑑み、より簡便な構成で信頼性の高い三次元ディスプレイ装置を提供することを目的とする。
【課題を解決するための手段】
【０００８】
上記課題を解決する本発明の一観点に係る三次元ディスプレイ装置は、無機ＥＬ層と、無機ＥＬ層を挟む一対の電極層と、を備える平面状の発光層を、透明基板を挟み複数平行に積層してなるものである。
【発明の効果】
【０００９】
以上、本発明によって、より簡便な構成で信頼性の高い三次元ディスプレイ装置を提供することができる。
【図面の簡単な説明】
【００１０】
【図１】実施形態に係る三次元ディスプレイ装置の概略を示す図である。
【図２】実施形態に係る三次元ディスプレイ装置の発光層の概略を示す図である。
【図３】実施形態に係る三次元ディスプレイ装置の下部の概略断面図である。
【図４】実施形態の他の例に係る三次元ディスプレイ装置の接続端子近傍の概略断面図である。
【図５】実施形態の他の例に係る三次元ディスプレイ装置の接続端子近傍の概略断面図である。
【図６】実施形態の他の例に係る三次元ディスプレイ装置の発光層の概略を示す図である。
【図７】実施形態の他の例に係る三次元ディスプレイ装置の実際に作製したものの例を示す写真図である。
【図８】実施形態の他の例に係る三次元ディスプレイ装置の実際に作製したものの例を示す写真図である。
【発明を実施するための最良の形態】
【００１１】
以下、本発明の実施形態について図面を用いて詳細に説明する。ただし、本発明は多くの異なる形態による実施が可能であり、以下に示す実施形態、実施例における具体的な例示にのみ限定されるわけではない。
【００１２】
（三次元ディスプレイ装置）
図１は、本実施形態に係る三次元ディスプレイ装置（以下「本装置」という。）１の機能ブロックを示す図であり、図２は、このうちの発光層２のイメージを示す図である。
【００１３】
これらの図で示すように、本装置１は、無機ＥＬ層２１と、無機ＥＬ層２１を挟む一対の絶縁層２２と、これらを挟む一対の電極層２３と、を備える平面状の発光層２を、透明基板３を挟み複数平行に積層してなる三次元ディスプレイ装置である。また、本装置１には、この一対の電極層２２に発光を制御するための電圧を供給する制御装置４が接続されており、制御装置４は、支持台５に収納されている。
【００１４】
本装置１における発光層２は、画像を表示させるための主要な部材であり、上記の通り、無機ＥＬ層２１と、無機ＥＬ層２１を挟む一対の絶縁層２２、これらを挟む一対の電極層２３とを備えている。
【００１５】
本装置１の発光層２における無機ＥＬ層２１は、電圧を印加しない場合においては透明な状態を維持し、電圧を印加した状態において発光を行うことのできる無機エレクトロクロミック材料を含む層である。無機ＥＬ層の材料としては、この機能を有する限りにおいて限定されるわけではないが、例えばＺｎＳにＴｂをドープしたＺｎＳ：Ｔｂ、ＭｎをドープしたＺｎＳ等を例示することができるがこれに限定されない。
【００１６】
また、本装置１の発光層２における一対の絶縁層２２は、一対の電極間を絶縁するために用いられるものである。絶縁膜２２としては特に限定されるわけではないが、透明性を確保しておくことが必要であることが好ましく、例えばＡｌ２Ｏ３、ＴｉＯ２、ＳｉＯ２の少なくともいずれかを含むもの等を例示することができる。
【００１７】
また、本装置１の発光層２における一対の電極層２３は、上記の記載から明らかなように、制御装置からの信号に基づき、無機ＥＬ層２１に電圧を供給するための部材である。一対の電極層のそれぞれの材質は、透明である限りにおいて限定されず、例えばＩＴＯ、ＩＺＯ等を例示することができる。
【００１８】
また本装置１において一対の電極層２３のそれぞれは、細長い電極が間隙をおいて略平行に複数配置された構成となっており、これら細長い電極の延伸方向が無機ＥＬ層を挟んだ他方の電極層の延伸方向と略垂直になっているいわゆるパッシブ型であることが好ましい。このようにすることで複雑な構成を採用することなくディスプレイ全体の透明度を高く維持することができるといった利点がある。
【００１９】
上記の場合においては、交差した電極が重複する領域が画素領域となり、この重複した領域に電圧を印加することでこの領域の無機ＥＬ層が発光し、画素の表示が可能となる。
【００２０】
また、本装置１において、絶縁層２２と電極層２３は重複する部分を備えていてもよい。電極層２３における電極は、電極間に空隙が設けられているため、この部分が空気層となり、屈折率差を大きくさせ、光の反射等により光の利用効率を下げてしまう場合がある。そのため、電極間の空隙に絶縁層２２の絶縁材料を設けることで光の利用効率を上げることが可能となるといった利点がある。
【００２１】
また本装置１において複数の発光層２は、上記の通り、透明基板３を挟んで積層されている。ここで透明基板とは絶縁性の基板であって、発光層２の間隔を確実に一定間隔として保持することができるものである。透明基板３の材質としては、特に限定されるわけではないが、例えばガラス基板、透明な樹脂基板であることが好ましいが、ガラス基板であることは強度確保の観点からより好ましい。
【００２２】
また、本装置１において透明基板３の厚さとしては適宜調整可能であり限定されるわけではないが、１０μｍ以上５ｍｍ以下の範囲であることが好ましく、より好ましくは２ｍｍ以下である。この範囲とすることで、無機ＥＬ層間を近傍とし、立体的に画素を配置することができるようになる。
【００２３】
また、本装置１において「透明」とは、入射された光のうち多くの割合の光を透過させることをいう。本装置１においては、多数の発光層、透明基板を平行に配置するものであるため、一つ一つが高い光透過性を備えており、上記複数の透明基板と組み合わされた状態においても十分な光透過性を備えているものであればよい。この場合、例えば可視領域、その具体的な波長として６００ｎｍの光が入射された場合、６０％以上透過する状態であることが好ましく、より好ましくは７０％、更に好ましくは８０％以上である。
【００２４】
また、本装置１において、全体の形状は三次元的な形状を備えている限りにおいて限定されるわけではないが、上記の図で示すような立方体であってもよいが、これに限られず多面体であってもよい。また、多面体だけではなく、曲面を備えた多数の面を備える立体形状、例えば円柱形状であってもよい。
【００２５】
また、本装置１において、正面（透明基板及び発光層の積層方向から見た面）及び背面は既に平滑な面となっている一方、それ以外の面（側面等）については平滑となっていない場合がある。そのため、本装置１では、観測面となりうる面が平滑となるよう構成されていることが好ましい。このようにすることで、凹凸による光の散乱を抑え、表示をより明確にすることが可能となる。
【００２６】
また、本装置１において、三次元ディスプレイとしては、尖った角が存在すると当該面により違和感を感じやすくなる。そのため、本装置１では尖った角部を丸くしておく処理を施しておくことが好ましい。
【００２７】
また、本装置１では、多面を備えているが、複数の面に上記発光層の制御装置を接続してしまうと視野が狭くなるといった課題がある。そのため、多数の面のうちの一面において接続端子２４が設けられており、この面で接続端子２４が制御装置４に接続されていることが好ましい。この場合のイメージ図を図３に示しておく。
【００２８】
また、本装置１では、上記制御装置４及び接続端子２４を隠しておくことが好ましく、例えば、この発光層及び透明基板（発光部）を指示する支持体５内に収納しておくことが好ましい。このようにすることで、不要な構成をコンパクトにまとめることが可能となる。
【００２９】
ところで、本装置１では、上記図で示す通り、多数の基板３を積層することにより三次元ディスプレイ装置を実現している一方で、接続端子２４の厚みを無視することができない場合が少なくない。具体的に説明すると、接続端子は、一般に、柔軟なプラスチック基板上に電極が形成されたもので構成されており、プラスチック基板自体に厚みがある。特に、発光層２の厚さに比べて十分に接続端子が厚い場合は工夫が必要となる。このような場合、例えば、接続端子２４の厚さ（プラスチック基板の厚さ）よりも厚いカバーガラスを挟んで積層してもよいし、また、図４で示すように、接続端子をスペーサーとしてカバーガラスがない状態で配置してもよいし、更には、図５で示すように、複数の基板を、接続端子が配置される分だけ確保しながら、階段状にずらしながら配置し、この段差部分において接続端子を配置するようにしてもよい。このようにすることで、より多くの基板をより薄い厚さで配置することが可能となりカバーガラスを設けずとも十分な分透過性を確保することができる。
【００３０】
また、上記の例の他、本装置１では、更に、図６で示すように、発光層２とこれを支える透明基板３の組をより大きな間隙を設けて積層させるため側面側に（発光層が形成される面に対して垂直な面に沿って）、これら透明基板３間の距離を一定に固定するための補強部材６を備えていることも好ましい。このようにすることで、より少ない数の発光層２及び透明基板３でも解像度を得られれば省電力となり、また、光量の損失を抑えることができる。さらに、接続する接続端子の数を減らすことが可能となり、接続端子に必要な体積分を削減することが可能となる。なお、補強部材６としては、所定の強度を得ることができるものである限りにおいて限定されるわけではないが、金属部材であってもよく、ガラスなどの透明部材であってもよい。特にガラスなどの透明部材を設けることで側面側においても十分な側面表示を得ることが可能となる。なお、本装置１について実際に製作し、その効果を確認した。この作成した装置の写真図を図７、８に示しておく。本図の例では、発光層２及び透明基板３の組を１０組として設け、この側面側において補強材により補強した。この結果、枚数が少ない場合であっても十分な三次元的表示を行うことができていることを確認した。
【００３１】
以上、本発明によって、より簡便な構成で信頼性の高い三次元ディスプレイ装置を提供することができる。
【産業上の利用可能性】
【００３２】
本発明は、三次元ディスプレイ装置として産業上の利用可能性がある。
【図１】
2019117789.tif 000003
【図２】
2019117789.tif 000004
【図３】
2019117789.tif 000005
【図４】
2019117789.tif 000006
【図５】
2019117789.tif 000007
【図６】
2019117789.tif 000008
【図７】
2019117789.tif 000009
【図８】
2019117789.tif 000010